(57)【要約】【課題】  複数のコンクリート壁間のシールを簡便に施工する。【解決手段】複数のコンクリート壁の境界近傍に配置されて、これらの壁の隙間をシールするものであって、最初に施工された壁面に接してその壁面に沿って固定される弾力性を有する帯状のベースフィルム５０と、このベースフィルム５０上に順に積層されたブチルゴム系シール材５２と、水溶性皮膜５４と、上部セパレータ５６と、下部セパレータ５７とを有する。上部セパレータ５６と、下部セパレータ５７は、水溶性皮膜５４に対して剥離の容易な接着剤により接着されている。【選択図】図３
2009203715.tif 000002
【特許請求の範囲】
【請求項１】
複数のコンクリート壁の境界近傍に配置されて、これらの壁の隙間をシールするものであって、
最初に施工された壁面に接してその壁面に沿って固定される弾力性を有する帯状のベースフィルムと、
このベースフィルム上に順に積層されたブチルゴム系シール材と、そのブチルゴム系シール材の表面を覆うように設けられた水溶性皮膜と、この水溶性皮膜を養生するためのセパレータとを有し、
前記セパレータは、前記水溶性皮膜の一部を覆うように、剥離可能な接着剤により接着されており、
前記最初に施工された壁面に前記ベースフィルムを固定した状態で、次に施工されるコンクリート壁に接する領域以外の領域を前記セパレータが覆うことを特徴とする防水シール部材。
【請求項２】
複数のコンクリート壁の境界近傍に配置されて、これらの壁の隙間をシールするものであって、
最初に施工された壁面に接してその壁面に沿って固定される弾力性を有する帯状のベースフィルムと、
このベースフィルム上に順に積層されたブチルゴム系シール材と、そのブチルゴム系シール材の表面を覆うように設けられた水溶性皮膜と、この水溶性皮膜を養生するためのセパレータとを有し、
前記セパレータは、前記水溶性皮膜の全部を覆うように、剥離可能な接着剤により接着されており、
前記最初に施工された壁面に前記ベースフィルムを固定した状態で、次に施工されるコンクリート壁に接する領域とそれ以外領域の境界で、前記セパレータが分離可能な状態に分割されていることを特徴とする防水シール部材。
【請求項３】
請求項１または２に記載の防水シール部材において、
最初に施工されたコンクリート壁の垂直面にほぼ水平方向に帯状に固定されるものであって、前記セパレータの上縁は、その長手方向に見て隙間なく前記水溶性皮膜に密着しており、前記セパレータの上縁以外の部分であって、セパレータの下縁を含む部分に、前記水溶性皮膜とセパレータとを接着させない分離部を設けたことを特徴とする防水シール部材。
【請求項４】
請求項３に記載の防水シール部材において、
前記水溶性皮膜とセパレータとの間に、舌状のスペーサを挟み込んで分離部を形成したことを特徴とする防水シール部材。
【請求項５】
請求項１乃至４のいずれかに記載の防水シール部材において、
前記セパレータは、ベースフィルムの長手方向に見たとき、前記セパレータを横切る方向に容易に切り裂くことができるように、引き裂き強度が不均一にされていることを特徴とする防水シール部材。
【請求項６】
複数のコンクリート壁を順に施工するときに、
最初に施工された第１の壁に対して帯状の防水シートを固定し、この防水シートを第２の壁と第３の壁の境界に配置して、これらの壁の隙間をシールする方法であって、
前記防水シートは、
前記第１の壁に接してその壁面に沿って固定される弾力性を有するベースフィルムと、このベースフィルム上に順に積層されたブチルゴム系シール材と、そのブチルゴム系シール材の表面を覆うように設けられた水溶性皮膜と、この水溶性皮膜を養生するためのセパレータとを有するものであって、
前記第１の壁にその一部を接した前記第２の壁を施工する前に、当該第２の壁に接する領域の前記水溶性皮膜を露出させ、前記水溶性皮膜の残りの部分を前記セパレータが覆った状態にして、
前記第２の壁を補強する鉄筋を配置し、第２の壁のコンクリート打ちを行い、このコンクリートの水で前記露出した水溶性皮膜を溶かして前記ブチルゴム系シール材と第２の壁の一部を密着させ、
さらに、前記第１の壁と前記第２の壁の境界部分に一部を接した、第３の壁を施工する前に、当該第３の壁に接する領域の前記セパレータを剥離して前記水溶性皮膜を露出させ、
その後前記第３の壁を補強する鉄筋を配置して、第３の壁のコンクリート打ちを行い、このコンクリートの水で前記露出した水溶性皮膜を溶かして前記ブチルゴム系シール材と第３の壁の一部を密着させることを特徴とするコンクリート壁の隙間の防水シール方法。
【請求項７】
請求項６に記載の防水シール方法において、
前記第１の壁と第２の壁及び第３の壁が、第１の面を挟んで接し、前記第２の壁と前記第３の壁とが、第２の面を挟んで接し、前記第１の面に前記防水シートが挟み込まれ、前記第１の面と前記第２の面の交差する境界線を前記ブチルゴム系シール材で封止する方法であって、
前記セパレータは、前記水溶性皮膜の全部を覆うように、剥離可能な接着剤により接着されており、前記第２の壁に接する領域と前記第３の壁に接する領域の境界で、前記セパレータが分離可能な状態に分割されており、
前記第２の壁を施工する前であって、前記第２の壁を補強する鉄筋を配置する前に、当該第２の壁に接する領域の前記セパレータを剥離することを特徴とするコンクリート壁の隙間の防水シール方法。
【請求項８】
請求項６に記載の防水シール方法において、
前記第１の壁と第２の壁及び第３の壁が、第１の面を挟んで接し、前記第２の壁と前記第３の壁とが、第２の面を挟んで接し、前記第１の面に前記防水シートが挟み込まれ、前記第１の面と前記第２の面の交差する境界線を前記ブチルゴム系シール材で封止する方法であって、
前記セパレータは、前記水溶性皮膜の前記第３の壁に接する領域のみを覆うように、剥離可能な接着剤により接着されており、
前記第３の壁を施工する前であって、前記第３の壁を補強する鉄筋を配置する前に、前記セパレータを剥離することを特徴とするコンクリート壁の隙間の防水シール方法。
【請求項９】
請求項６乃至８のいずれかに記載の防水シール方法において、
前記第３の壁を施工する前であって、前記第２の壁のコンクリートが硬化する前であって、前記第２の壁のコンクリートの水分の流れ出しが停止した後に、当該第３の壁に接する領域の前記セパレータを剥離することを特徴とするコンクリート壁の隙間の防水シール方法。
【請求項１０】
請求項６乃至９のいずれかに記載の防水シール方法において、
前記第１の壁に接してその壁面に沿って固定されるベースフィルムは、前記第１の壁に対して固定用接着剤により部分的に固定されることを特徴とするコンクリート壁の隙間の防水シール方法。
【発明の詳細な説明】
【技術分野】
【０００１】
本発明は、それぞれ別々に施工される複数のコンクリート壁の境界近傍に配置されて、これらの壁の隙間をシールするために使用される防水シール部材と防水シール方法に関する。
【背景技術】
【０００２】
鉄筋コンクリート製の壁や床を順に別々に施工するとき、両者の接合部の密着を良好にして、隙間の水密性を確保するために、未加硫ブチルゴムを挟み込む工事が行われる。未加硫ブチルゴムは常温では粘着性が強く、土や埃を付着させ易い。そこで、未加硫ブチルゴムの表面にプラスチックフィルム等のセパレータを貼り付けて養生をする。例えば、未加硫ブチルゴムを壁に貼り付け、その壁に接する床工事が開始される直前に、未加硫ブチルゴムを覆っていたセパレータを剥がす。しかしながら未加硫ブチルゴムは粘着性が強く、セパレータを剥がす作業に非常に力が要る。また、床施工のための鉄筋を配置し、コンクリートの型枠を配置した後に、隙間から手を入れたり、鉄筋の間に体を入れてセパレータを剥がそうとするので作業性が悪い。
【特許文献１】特許第３３１７９２５号公報
【発明の開示】
【発明が解決しようとする課題】
【０００３】
既知の従来の技術には、次のような解決すべき課題があった。
未加硫ブチルゴムの表面を養生し、かつ、セパレータの剥離作業が不要なものとして、未加硫ブチルゴムの表面に水溶性の皮膜を設けたシール部材が知られている（特許文献１参照）。水溶性の皮膜は、未加硫ブチルゴムの表面を砂塵から保護する。しかしながら、複数のコンクリート壁が別々のタイミングで施工されることから、コンクリートの水やセメントが飛び散ったり流れ込んで、壁や床の施工前に水溶性の皮膜を溶かしてしまうことがある。これでは、その後に施工される壁や床との密着が悪くなるという問題があった。
上記の課題を解決するために、本発明は、水溶性の皮膜を養生してコンクリート壁間のシールを簡便に施工できる、防水シール部材と防水シール方法を提供することを目的とする。
【課題を解決するための手段】
【０００４】
以下の構成はそれぞれ上記の課題を解決するための手段である。なお、この項において、コンクリートの床も壁も、総じてコンクリート壁と表現することにする。また、常温で粘着力が高くコンクリートとの親和性が優れていることから、未加硫ブチルゴムまたは非加硫ブチルゴムは、土木用のシール部材として多用されている。以下、これらをブチルゴム系シール部材と呼んで説明をすすめる。
〈構成１〉
複数のコンクリート壁の境界近傍に配置されて、これらの壁の隙間をシールするものであって、最初に施工された壁面に接してその壁面に沿って固定される弾力性を有する帯状のベースフィルムと、このベースフィルム上に順に積層されたブチルゴム系シール材と、そのブチルゴム系シール材の表面を覆うように設けられた水溶性皮膜と、この水溶性皮膜を養生するためのセパレータとを有し、上記セパレータは、上記水溶性皮膜の一部を覆うように、剥離可能な接着剤により接着されており、上記最初に施工された壁面に上記ベースフィルムを固定した状態で、次に施工されるコンクリート壁に接する領域以外の領域を上記セパレータが覆うことを特徴とする防水シール部材。
【０００５】
セパレータが、最初に施工された壁面に固定された状態で、次に施工されるコンクリート壁に接する領域以外の部分の水溶性皮膜を養生するように、セパレータで覆われているので、残りの部分の水溶性皮膜を損傷しない。また、コンクリートの水分で溶解する水溶性皮膜が、施工直前までブチルゴム系シール材を保護するので、コンクリート壁の鉄骨を組む前にセパレータを剥がすことができ、効率の良い作業ができる。また、必要最小限の部分にセパレータが設けてあり、作業性もよい。この防水シール部材は逆打ち工法や順打ち工法に適する。
【０００６】
〈構成２〉
複数のコンクリート壁の境界近傍に配置されて、これらの壁の隙間をシールするものであって、最初に施工された壁面に接してその壁面に沿って固定される弾力性を有する帯状のベースフィルムと、このベースフィルム上に順に積層されたブチルゴム系シール材と、そのブチルゴム系シール材の表面を覆うように設けられた水溶性皮膜と、この水溶性皮膜を養生するためのセパレータとを有し、上記セパレータは、上記水溶性皮膜の全部を覆うように、剥離可能な接着剤により接着されており、上記最初に施工された壁面に上記ベースフィルムを固定した状態で、次に施工されるコンクリート壁に接する領域とそれ以外領域の境界で、上記セパレータが分離可能な状態に分割されていることを特徴とする防水シール部材。
【０００７】
次に施工されるコンクリート壁の施工直前まで、水溶性皮膜の該当部分を養生することができ、該当部分のセパレータだけ、容易に剥離することができる。この防水シール部材は逆打ち工法や順打ち工法のみならず、床の工区割工法にも適する。
【０００８】
〈構成３〉
構成１または２に記載の防水シール部材において、最初に施工されたコンクリート壁の垂直面にほぼ水平方向に帯状に固定されるものであって、上記セパレータの上縁は、その長手方向に見て隙間なく上記水溶性皮膜に密着しており、上記セパレータの上縁以外の部分であって、セパレータの下縁を含む部分に、上記水溶性皮膜とセパレータとを接着させない分離部を設けたことを特徴とする防水シール部材。
【０００９】
水溶性皮膜とセパレータとを接着させない分離部を設けて、セパレータを水溶性皮膜から剥がし易くした。上縁を長手方向に見て隙間なく水溶性皮膜に密着させているので、上方から流れ落ちる水が水溶性皮膜に達しない。この防水シール部材は逆打ち工法や順打ち工法に適する。
【００１０】
〈構成４〉
構成３に記載の防水シール部材において、上記水溶性皮膜とセパレータとの間に、舌状のスペーサを挟み込んで分離部を形成したことを特徴とする防水シール部材。
【００１１】
舌状のスペーサを挟み込んで、その部分を掴んでセパレータを水溶性皮膜から剥がすことができるようにした。
【００１２】
〈構成５〉
構成１乃至４のいずれかに記載の防水シール部材において、上記セパレータは、ベースフィルムの長手方向に見たとき、上記セパレータを横切る方向に容易に切り裂くことができるように、引き裂き強度が不均一にされていることを特徴とする防水シール部材。
【００１３】
セパレータを小さく切り裂いて簡単に水溶性皮膜から剥がすことができる。防水シール部材を固定した後、一部の区間だけコンクリート打ちをするといったときに、セパレータを任意の場所で切り裂いて、他の部分を残すことができる。
【００１４】
〈構成６〉
複数のコンクリート壁を順に施工するときに、最初に施工された第１の壁に対して帯状の防水シートを固定し、この防水シートを第２の壁と第３の壁の境界に配置して、これらの壁の隙間をシールする方法であって、上記防水シートは、上記第１の壁に接してその壁面に沿って固定される弾力性を有するベースフィルムと、このベースフィルム上に順に積層されたブチルゴム系シール材と、そのブチルゴム系シール材の表面を覆うように設けられた水溶性皮膜と、この水溶性皮膜を養生するためのセパレータとを有するものであって、上記第１の壁にその一部を接した上記第２の壁を施工する前に、当該第２の壁に接する領域の上記水溶性皮膜を露出させ、上記水溶性皮膜の残りの部分を上記セパレータが覆った状態にして、上記第２の壁を補強する鉄筋を配置し、第２の壁のコンクリート打ちを行い、このコンクリートの水で上記露出した水溶性皮膜を溶かして上記ブチルゴム系シール材と第２の壁の一部を密着させ、さらに、上記第１の壁と上記第２の壁の境界部分に一部を接した、第３の壁を施工する前に、当該第３の壁に接する領域の上記セパレータを剥離して上記水溶性皮膜を露出させ、その後上記第３の壁を補強する鉄筋を配置して、第３の壁のコンクリート打ちを行い、このコンクリートの水で上記露出した水溶性皮膜を溶かして上記ブチルゴム系シール材と第３の壁の一部を密着させることを特徴とするコンクリート壁の隙間の防水シール方法。
【００１５】
水溶性皮膜は、コンクリート打ち工事の準備作業中、ブチルゴム系シール材の表面を覆って砂塵等から保護する効果がある。第２の壁のコンクリート打ち工事のとき、第３の壁と接する部分に未硬化の水分を含んだコンクリートが流れ込んだり飛散して付着するのを防止する。逆打ち工法、順打ち工法、床の工区割工法に適する。逆打ち工法や順打ち工法では、第２の壁に接する面のセパレータは、当初からなくても構わない。床の工区割工法では、第２の壁に接する面にセパレータを設けておき、第２の壁を補強する鉄筋を配置する前に除去するとよい。
【００１６】
〈構成７〉
構成６に記載の防水シール方法において、上記第１の壁と第２の壁及び第３の壁が、第１の面を挟んで接し、上記第２の壁と上記第３の壁とが、第２の面を挟んで接し、上記第１の面に上記防水シートが挟み込まれ、上記第１の面と上記第２の面の交差する境界線を上記ブチルゴム系シール材で封止する方法であって、上記セパレータは、上記水溶性皮膜の全部を覆うように、剥離可能な接着剤により接着されており、上記第２の壁に接する領域と上記第３の壁に接する領域の境界で、上記セパレータが分離可能な状態に分割されており、上記第２の壁を施工する前であって、上記第２の壁を補強する鉄筋を配置する前に、当該第２の壁に接する領域の上記セパレータを剥離することを特徴とするコンクリート壁の隙間の防水シール方法。
【００１７】
第２の壁に接する領域を、第２の壁を施工する前であって、第２の壁を補強する鉄筋を配置する直前まで保護しておきたい工法に適する。従って、特に、床の工区割工法に適する。
【００１８】
〈構成８〉
構成６に記載の防水シール方法において、上記第１の壁と第２の壁及び第３の壁が、第１の面を挟んで接し、上記第２の壁と上記第３の壁とが、第２の面を挟んで接し、上記第１の面に上記防水シートが挟み込まれ、上記第１の面と上記第２の面の交差する境界線を上記ブチルゴム系シール材で封止する方法であって、上記セパレータは、上記水溶性皮膜の上記第３の壁に接する領域のみを覆うように、剥離可能な接着剤により接着されており、上記第３の壁を施工する前であって、上記第３の壁を補強する鉄筋を配置する前に、上記セパレータを剥離することを特徴とするコンクリート壁の隙間の防水シール方法。
【００１９】
第２の壁を施工する前に第２の壁に接する領域を機械的に保護しておく必要性が少ないときは、この工法によりセパレータ除去工程を省略できる。特に、逆打ち工法や順打ち工法に適する。
【００２０】
〈構成９〉
構成６乃至８のいずれかに記載の防水シール方法において、上記第３の壁を施工する前であって、上記第２の壁のコンクリートが硬化する前であって、上記第２の壁のコンクリートの水分の流れ出しが停止した後に、当該第３の壁に接する領域の上記セパレータを剥離することを特徴とするコンクリート壁の隙間の防水シール方法。
【００２１】
第３の壁と接する部分に未硬化の水分を含んだコンクリートが付着して硬化すると、セパレータの除去が困難になることがある。また、ブチルゴム系シール材が水溶性皮膜で保護されているから、第３の壁を施工する前の比較的早い段階でセパレータを除去しても構わない。そこで、第２の壁のコンクリートの水分の流れ出しが停止した後にセパレータを剥離することにした。
【００２２】
〈構成１０〉
構成６乃至９のいずれかに記載の防水シール方法において、上記第１の壁に接してその壁面に沿って固定されるベースフィルムは、上記第１の壁に対して固定用接着剤により部分的に固定されることを特徴とするコンクリート壁の隙間の防水シール方法。
【００２３】
第１の壁が平坦でなくても、例えば、両面粘着テープのような固定用接着剤でベースフィルムをしっかりと固定して工事が行える。
【発明を実施するための最良の形態】
【００２４】
以下、本発明の実施の形態を従来法と対比しながら実施例毎に詳細に説明する。
【実施例１】
【００２５】
図１は、土留め壁の説明図である。（ａ）は土留め壁を地上から見た一部拡大図、（ｂ）は土留め壁全体を地上から見た概略斜視図である。地下に埋もれた部分は破線で表示した。
例えば、高層ビルの地下階を建設する場合には、まず、掘削予定場所の周囲に、図のようにＨ鋼２２を一定の間隔をあけて地下に向かって垂直に打ち込む。そして、隣り合うＨ鋼の間の地盤を壁状に掘り下げて土を柔らかくした後に、固化剤を注入して固める。これによって筒状の土留め壁２４を形成する。その後この土留め壁２４に囲まれた部分を掘削して地下階を建設する。
【００２６】
図２は、地下１階部分の地下階横断面図である。
地下の掘削開始前に、始めに、地上１階の床２６を形成する。例えば、地表に平行に厚さ１〜２メートル程度のコンクリートの床２６を形成する。その後、地上１階の床２６に設けた作業孔２８から機材を運び入れ、地下に向かって地面を掘り下げていく。地下１階分の深さまで掘り下げた後に、地下１階の側壁３０と地下１階の床３２を順に施工する。いずれも図示しない鉄筋を組んで、型枠を配置してからコンクリートを流し込む方法による。このように、地下の深いほうに向かって順に地下階を建設する工法を逆打ち工法と呼んでいる。また、土留め壁２４の内側を地下の最も深い位置まで掘削した後に、地上に向かって地下階を建設する工法を順打ち工法と呼んでいる。
【００２７】
図の土留め壁２４は、地下階施工のための仮設壁であって、十分な防水機能は無い。地下階に対する防水は、地上１階の床２６と地下１階の側壁３０と地下１階の床３２とで対処する。しかしながら、これらの壁や床は、それぞれ時間的に異なるタイミングで施工されるから、その境界部分の密着が問題になる。対策が必要なのは、地上１階の床２６と地下１階の側壁３０との境界、地下１階の側壁３０と地下１階の床３２との境界である。これらの境界の止水処理が充分でないと、例えば、右上に拡大図を示した矢印１５の方向に漏水を生じる恐れがある。そこで、従来から、この境界部分に粘着性シール材３６を配置する方法が採用されている。この粘着性シール材３６には、従来よりブチルゴム系シール材を使用している。ブチルゴム系シール材が、これらのコンクリート製壁の境界部分に生じた隙間を埋めて漏水を防止する。
【００２８】
図３（ａ）は本発明の防水シール部材の実施例を示す斜視図、（ｂ）はセバレータの一例を示す端面図、（ｃ）は防水シール部材変形例の正面図である。
図の（ａ）に示すように、本発明の防水シール部材１０は、図２に示した土留め壁２４の垂直な側面にコンクリート釘４０を使用して打ち付けられあるいは接着剤で固定される、ベースフィルム５０を備える。この防水シール部材１０を、土留め壁２４（図２）に固定してから、図２に示した地上１階の床２６や地下１階の側壁３０等が順に別々のタイミングで施工される。ベースフィルム５０上には、ブチルゴム系シール材５２と、この表面を覆うように設けられた水溶性皮膜５４が順に積層されている。水溶性皮膜５４の表面は、上半分が上部セパレータ５６により覆われ、下半分が下部セパレータ５７により覆われている。ベースフィルム５０には例えば、ポリプロピレン等の弾力性を有する帯状のプラスチックフィルムを使用する。ベースフィルム５０は壁に固定されるとき、壁の凹凸になじんで密着するように柔軟性を有することが好ましい。ブチルゴム系シール材５２は、コンクリートに化学的に強固に密着する性質を持ちコンクリートのシール等に広く利用されているものである。水溶性皮膜５４はポリビニルアルコール等のフイルムにより構成する。
【００２９】
ブチルゴム系シール材５２は常温で粘着性がある。防水シール部材１０を土留め壁２４に固定して、地上１階の床２６や地下１階の側壁３０の施工開始までブチルゴム系シール材５２を露出させたまま放置すると、その表面に埃や砂が不着してコンクリートへの密着性を低下させる。水溶性皮膜５４は、ブチルゴム系シール材５２の表面を覆い、砂や埃の付着を防止する保護カバーの役割をする。さらに、そのままコンクリートを打設すると、コンクリートに含まれる水によって溶けて消失し、ブチルゴム系シール材５２を露出させる。その後ブチルゴム系シール材５２が化学的に反応してコンクリートへ密着する。こうした技術は上記の特許文献１に記載されているとおりである。
【００３０】
しかしながら、特許文献１に記載の構造の防水シール部材をそのまま逆打ち工法に使用すると、次のような問題が発生する。防水シール部材１０は、図２に示した土留め壁２４にコンクリート釘４０等で打ち付けられる。この状態で、図２に示すように、まず、地上１階の床２６が施工される。このとき、水溶性皮膜５４がコンクリートに含まれる水によって溶解する。防水シール部材１０の上半分のブチルゴム系シール材５２は地上１階の床２６に密着する。この工事が行われたとき、コンクリートに含まれる水は、後で図解して説明するように、下半分の水溶性皮膜５４も溶かしてしまう。さらに、セメントの混じったスラリーも流下するので、防水シール部材１０の下半分のブチルゴム系シール材５２の表面に沢山のスラリーが付着してしまう。これでは、その後、地下１階の側壁３０の工事をしたときに、防水シール部材１０の下半分のブチルゴム系シール材５２と地下１階の側壁３０との密着性が悪くなる。
【００３１】
そこで、本発明では、防水シール部材１０の少なくとも下半分に、プラスチックフィルム等の下部セパレータ５７を貼り付けた構造にする。図３に示した実施例では、上部セパレータ５６と下部セパレータ５７とは、水溶性皮膜５４全体を覆い、上半分と下半分とがそれぞれ予め分割されている。水溶性皮膜５４と上部セパレータ５６と下部セパレータ５７とは、剥離の容易な接着剤により接着される。接着には、プラスチックシートを接着するために多用されている既知の接着剤や、各種の粘着テープに広く使用されている粘着材を使用するとよい。
【００３２】
コンクリートに含まれる水は、防水シール部材１０の表面を上から下方向に流下する。従って、上部セパレータ５６や下部セパレータ５７の上縁は、その長手方向に見て隙間なく水溶性皮膜５４に密着していることが好ましい。上部セパレータ５６や下部セパレータ５７の上縁以外の部分は、固定作業やその他の工事時に簡単に剥離しない程度に固定されていることが好ましい。例えば、図３（ａ）に示すように、上部セパレータ５６を横切る矢印３８の方向に容易に切り裂くことができる構造にするとよい。
【００３３】
これには、例えば、図の（ｂ）に示すように、上部セパレータ５６や下部セパレータ５７の、上記の矢印３８に平行な方向に、多数の溝３９を設けておくとよい。これにより、引き裂き強度を不均一にして、一定の幅ずつ引き裂くことができる。また、溝３９に相当する部分以外の部分を繊維で強化する。溝３９はなくても良い。引き裂くときに強く引いてもセパレータが伸びたり断裂することがない。また、地上１階の床２６（図２）を数回に分けて施工するとき、上部セパレータ５６を一部だけ剥がす必要が生じることがある。このときも、鋏等の道具無しで、必要なだけ、上部セパレータ５６を剥がすことができる。下部セパレータ５７についても同様である。
【００３４】
一方、水溶性皮膜５４と上部セパレータ５６と下部セパレータ５７が全面的にしっかりと接着されて一体化していると両者を剥離する作業に時間がかかる。このときは、例えば、図の（ｃ）に示すように、水溶性皮膜５４と上部セパレータ５６や下部セパレータ５７とを接着させない分離部６０を一定の間隔で多数設けるとよい。この分離部６０には、舌状のスペーサ６１を挟み込んでおくと、掴み安く作業性がよい。
【００３５】
図４は、逆打ち工法での具体的な防水シール方法の一例を示す説明図である。
始めに、図の（ａ）に示すように、防水シール部材１０のベースフィルム５０を、土留め壁２４の垂直側面にコンクリート釘４０を用いて打ち付けて固定する。そして、図の（ｂ）に示すように一点鎖線４２の部分に図示しない型枠を配置した後に、上部セパレータ５６を剥がしてブチルゴム系シール材５２を露出させる。その後、型枠の上方に図示しない鉄筋を配置して、矢印４４の方向にコンクリートを流し込む。その結果、図の（ｃ）に示すように、水溶性皮膜５４が水で熔解してブチルゴム系シール材５２が露出し地上１階の床２６に密着して、防水シール部材１０の上半分によるシールが完成する。
【００３６】
地上１階の床２６の施工時には、図の（ｂ）に示すように、下部セパレータ５７が水溶性皮膜５４を養生しているので、矢印４６の方向にコンクリートの水が流れ落ちても、水溶性皮膜５４が溶けることがない。従って、ブチルゴム系シール材５２の表面を清浄に保持できる。地上１階の床２６が完成して、地下１階の側壁３０の施工準備をるす段階で、図の（ｃ）のように、下部セパレータ５７を剥ぎ取って、水溶性皮膜５４を露出させる。なお、地下１階の側壁３０の施工時でも、鉄筋を配置する前に下部セパレータ５７を剥ぎ取る作業ができるので作業性が良い。最後に図の（ｄ）に示すように、地下１階の側壁３０を施工したとき、コンクリートの水で水溶性皮膜５４が熔解して、地下１階の側壁３０とブチルゴム系シール材５２が密着し、良好なシールが完成する。
【実施例２】
【００３７】
図５は実施例２の防水シール部材を示し、（ａ）はその横断面図、（ｂ）は土留め壁に固定した状態の横断面図である。また、図６は実施例２の防水シール部材を土留め壁に固定した状態の正面図である。
実施例２の防水シール部材１０には、図の（ａ）に示すように、そのベースフィルム５０の土留め壁２４側に固定用接着剤６２が設けられている。固定用接着剤６２は、例えば、両面粘着テープ等である。防水シール部材１０を、土留め壁２４に接してその壁面に密着するように固定する機能を持つ。土留め壁２４は必ずしも完全に平坦な壁とは限らない。図の（ｂ）に示すように、弾力性を有する帯状のベースフィルム５０は、固定用接着剤６２により土留め壁２４に隙間無く固定される。地上１階の床２６等が施工された後は、防水シール部材１０は土留め壁２４に強く押しつけられる。従って、固定用接着剤６２は仮固定を目的とするものでよい。また、固定用接着剤６２を、ベースフィルム５０の土留め壁２４側の全面に設ける必要はない。例えば、図６に示すように、コンクリート釘４０で固定をした場所以外の場所で、固定用接着剤６２が補助的に防水シール部材１０を土留め壁２４に固定するように、部分的に設けられてもよい。
【実施例３】
【００３８】
図７〜図１０は、実施例３の逆打ち工法を説明するための壁等の横断面図である。
上記の防水シール部材１０は、複数のコンクリート壁を順に施工するときに、最初に施工された土留め壁２４等の第１の壁に固定される。そして、その後順に施工される第２の壁と第３の壁の境界で、これらの壁の隙間をシールする。上記の例では、第２の壁は地上１階の床２６や地下１階の側壁３０で、第３の壁は地下１階の側壁３０や地下１階の床３２に相当する。
【００３９】
ここで、例えば、逆打ち工法で、地上１階の床２６を施工する前の状態を考える。このとき、図７に示すように、初めに土留め壁２４に防水シール部材１０が固定される。地下土面６６の土留め壁２４に面した部分は、防水シール部材１０を固定する部分だけ掘り下げられ、他の部分は平坦にされて型枠６４を支持している。型枠６４の上に地上１階の床２６のコンクリートが打設される。その補強のための図示しない鉄筋を配置する前に、上部セパレータ５６を剥離する。
【００４０】
逆打ち工法では、防水シール部材１０が土留め壁２４の垂直面に固定されるから、図７の状態で水溶性皮膜５４が機械的な損傷を受けることが比較的少ない。従って、例えば、図８に示すように、当初から上部セパレータ５６の無い防水シール部材１０を使用することもできる。上部セパレータ５６を剥離する作業にはかなりの労力が必要だから、上部セパレータ５６が無ければ、地下１階の床３２の施工準備作業が簡略化できる。ブチルゴム系シール材５２の表面は水溶性皮膜５４で覆われているから、セパレータ５６が無くても通常の運搬や保管には支障がない。例えば、施工前に雨や地下水等が降りかかる環境でだけ、図７のような上部セパレータ５６のあるものを採用するとよい。
【００４１】
図７や図８に示すように、第２の壁である地上１階の床２６に接する領域の水溶性皮膜５４を露出させ、水溶性皮膜５４の残りの部分をセパレータ５７が覆った状態にしてから、図９に示すように、鉄筋６８を配置する。その後、第２の壁である地上１階の床２６のコンクリート打ちを行う。コンクリートの水は、露出した水溶性皮膜５４を溶かして、ブチルゴム系シール材５２と地上１階の床２６を密着させる。次に、地上１階の床２６の下側に第３の壁となる地下１階の側壁３０を施工するときには、図１０に示すように、第３の壁を補強する鉄筋７２や型枠７０を配置する。この直前に、第３の壁に接する領域のセパレータ５７（図９）を剥離して水溶性皮膜５４を露出させる。こうして、水溶性皮膜５４を的確に保護しつつ、地下工事を進めることができる。
【実施例４】
【００４２】
図１１は実施例４の順打ち工法に使用する防水シール部材の斜視図で、図１２は、実施例４を説明するための壁等の横断面図である。
順打ち工法では、第２の壁は例えば図４に示した地下１階の側壁３０である。第３の壁は地上１階の床２６である。従って、例えば、図１１に示すように、第２の壁に接する面の下半分のセパレータは、当初からなくて構わない。上部セパレータ５６のみが設けられていればよい。図１２に示すように、鉄筋７２と型枠７０とを配置してから、矢印４４の方向にコンクリートを流し込む。このとき、水やセメントの一部が跳ね上がって、上部の水溶性皮膜５４に付着するおそれがある。上部セパレータ５６はこれを防止する。上部セパレータ５６は、第３の壁である地上１階の床２６を補強する鉄筋を配置する前に剥離される。
【実施例５】
【００４３】
図１３は、実施例５の床の工区割工法を説明する床の平面図である。図１４〜図１６は、実施例５の床の工区割工法を説明するための壁等の横断面図である。
床面積が広い場合に、一気に床全体にコンクリート打ちをすることができない。このとき、図１３に示すように、床を複数の区画７６に区分して、一区画ずつコンクリート打ちを行う。その場合には、各区画７６の境界７８に沿って上記の防水シール部材１０を配置する。
【００４４】
例えば、地下１階の床３２を施工する場合を考える。図１４に示すように、予め、掘削した地下地面を平坦にして、捨て打ちコンクリート８０を形成しておく。捨て打ちコンクリート８０が第１の壁に相当する。捨て打ちコンクリート８０の上面に、防水シール部材１０を配置する。この防水シール部材１０の上に区画７６の境界７８が位置する。鉄筋７４とラス８４を組み立てて、図１４のラス８４の左側に、第２の壁を形成するためのコンクリートを流し込む。その後、ラス８４の右側に第３の壁を形成するためのコンクリートを流し込む。第２の壁も第３の壁も、上記の床の一区画である。第２の壁を施工する前の鉄筋７４を配置する前に、防水シール部材１０のセパレータ８１が除去される。なお、ラス８４とは、型枠の代用になる網状体で、コンクリートが固まった後、コンクリートと共に埋め込まれるものである。
【００４５】
床工事では、鉄筋７４を配置する前は、捨て打ちコンクリート８０上を作業者が往来し、防水シール部材１０を靴で踏みつけることが少なくない。従って、セパレータ８１や８２は必須である。鉄筋７４を配置してしまうと、その上を歩くことができないから、セパレータ８１を剥離してしまっても構わない。鉄筋７４を配置する作業時や鉄筋７４を配置した後のコンクリート打ち準備作業時には、砂塵が防水シール部材１０上に降りかかることもある。しかしながら、ブチルゴム系シール材５２は水溶性皮膜５４より保護されているから、その機能は損なわない。例えば、砂塵が著しく多いときは、コンクリート打ち直前に、エア等を用いて砂塵を吹き飛ばせばよい。図１４に示すように鉄筋７４はセパレータ８１の上方に覆い被さるから、鉄筋７４を配置した後にセパレータ８１を手で掴んで剥離する作業の作業性は著しく悪い。鉄筋７４を配置する前であれば、圧倒的に作業性が良い。
【００４６】
図１５に示すように、コンクリート８６を施工したとき、セメントの一部がラス８４を通り抜けて、漏れ出し部８８を作ることがある。セパレータ８２は防水シール部材１０のブチルゴム系シール材５２に漏れ出し部８８が直接付着するのを防止して保護している。しかしながら、漏れ出し部８８が硬く硬化してしまうと、セパレータ８１を除去する作業の妨げになり、セパレータ８１が破断してしまうこともある。これを解決するには、コンクリートが硬化する前であって、そのコンクリートの水分の流れ出しが停止した後に、セパレータ８１を剥離するとよい。コンクリートの水分の流れ出しが無ければ、ブチルゴム系シール材５２を保護する必要はない。漏れ出し部８８が柔らかいうちであれば、簡単にブチルゴム系シール材５２からセパレータ８２を除去できる。以上の工法により、区割り工法による床間のシールを確実に効率よく実施することができる。
【図面の簡単な説明】
【００４７】
【図１】土留め壁の説明図である。（ａ）は土留め壁の一部拡大図、（ｂ）は土留め壁全体の概略斜視図である。
【図２】地下１階部分の地下階横断面図である。
【図３】（ａ）は本発明の防水シール部材の実施例を示す斜視図、（ｂ）はセバレータの一例を示す端面図、（ｃ）は防水シール部材変形例の正面図である。
【図４】具体的な防水シール方法の一例を示す説明図である。
【図５】実施例２の防水シール部材を示し、（ａ）はその横断面図、（ｂ）は土留め壁に固定した状態の横断面図である。
【図６】実施例２の防水シール部材を土留め壁に固定した状態の正面図である。
【図７】実施例３の逆打ち工法を説明するための壁等の横断面図である。
【図８】実施例３の逆打ち工法を説明するための壁等の横断面図である。
【図９】実施例３の逆打ち工法を説明するための壁等の横断面図である。
【図１０】実施例３の逆打ち工法を説明するための壁等の横断面図である。
【図１１】実施例４の順打ち工法に使用する防水シール部材の斜視図である。
【図１２】実施例４を説明するための壁等の横断面図である。
【図１３】図１３は、実施例５の床の工区割工法を説明する床の平面図である。
【図１４】実施例５の床の工区割工法を説明するための壁等の横断面図である。
【図１５】実施例５の床の工区割工法を説明するための壁等の横断面図である。
【図１６】実施例５の床の工区割工法を説明するための壁等の横断面図である。
【符号の説明】
【００４８】
１０  防水シール部材
２２  Ｈ鋼
２４  土留め壁
２６  地上１階の床
２８  作業孔
３０  地下１階の側壁
３２  地下１階の床
３６  粘着性シール材
４０  コンクリート釘
３８  矢印
４２  一点鎖線
４４  矢印
４６  矢印
５０  ベースフィルム
５２  ブチルゴム系シール材
５４  水溶性皮膜
５６  上部セパレータ
５７  下部セパレータ
５８  接着層
６０  分離部
６１  スペーサ
６２  固定用接着剤
６４  型枠
６６  地下土面
６８  鉄筋
７０  型枠
７２  鉄筋
７４  鉄筋
７６  区画
７８  境界
８０  捨て打ちコンクリート
８１  セパレータ
８２  セパレータ
８４  ラス
８６  コンクリート
８８  漏れ出し部
【図１】
2009203715.tif 000003
【図２】
2009203715.tif 000004
【図３】
2009203715.tif 000005
【図４】
2009203715.tif 000006
【図５】
2009203715.tif 000007
【図６】
2009203715.tif 000008
【図７】
2009203715.tif 000009
【図８】
2009203715.tif 000010
【図９】
2009203715.tif 000011
【図１０】
2009203715.tif 000012
【図１１】
2009203715.tif 000013
【図１２】
2009203715.tif 000014
【図１３】
2009203715.tif 000015
【図１４】
2009203715.tif 000016
【図１５】
2009203715.tif 000017
【図１６】
2009203715.tif 000018